(57)【要約】      （修正有）【課題】従業員が適切な契機で適切な行動をとるための行動情報を提供する経過時間管理装置及び経過時間管理プログラムを提供する。【解決手段】経過時間管理装置１は、店舗に設置される管理サーバである注文管理装置２、従業員が閲覧することができる場所に設置される行動情報管理端末３ａ、３ｂ、店舗に来店した客の注文を受け付け、注文情報を無線通信などを介して注文管理装置２へ送信する注文入力装置４、ＰＯＳ装置５、アクセスポイント６がネットワーク７で通信可能に接続されて構成されている。注文管理装置２が管理する時間情報や行動情報などの各種情報が、注文管理装置２から行動情報管理端末３ａ、３ｂに対して出力され、従業員に閲覧可能に表示される。【選択図】図１
2016110192.tif 000002
【特許請求の範囲】
【請求項１】
顧客を特定する顧客特定情報を含む顧客情報を取得する顧客情報取得手段と、
前記顧客特定情報に対応して発生した所定時刻を、前記顧客特定情報ごとに取得する時刻取得手段と、
前記取得した顧客情報および前記取得した所定時刻を記憶する顧客情報記憶手段と、
前記所定時刻を起点とした経過時間を管理する経過時間管理手段と、
前記経過時間が所定の閾値を超えた顧客特定情報を抽出する行動対象抽出手段と、
顧客に対する所定の行動を指定する行動情報を取得する行動情報取得手段と、
前記抽出した顧客特定情報と前記取得した行動情報を出力する出力手段と、
を備えることを特徴とする経過時間管理装置。
【請求項２】
前記行動情報取得手段は、前記抽出した顧客特定情報が特定する顧客に推奨すべき推奨品を行動情報として取得することを特徴とする請求項１に記載の経過時間管理装置。
【請求項３】
前記抽出した顧客特定情報が特定する顧客への行動の停止を指示する行動停止情報を取得する行動停止情報取得手段を更に備え、
前記出力手段は、前記顧客特定情報と前記行動情報に加えて、前記取得した行動停止情報を出力することを特徴とする請求項１または請求項２に記載の経過時間管理装置。
【請求項４】
前記行動情報取得手段は、複数の行動情報を設定することを特徴とする請求項１から請求項３のいずれか１項に記載の経過時間管理装置。
【請求項５】
前記所定の閾値は、複数であることを特徴とする請求項１から請求項４のいずれか１項に記載の経過時間管理装置。
【請求項６】
前記時刻取得手段は、前記発生する所定時刻として前記顧客特定情報ごとに複数の所定時刻を取得することを特徴とする請求項１から請求項５のいずれか１項に記載の経過時間管理装置。
【請求項７】
前記顧客情報は注文情報を含み、
前記時刻取得手段は、前記注文情報を受け付けた時刻を前記所定時刻として取得し、
前記経過時間管理手段は、前記時刻取得手段が取得した、前記顧客特定情報ごとの最初に受け付けた注文情報の時刻、前記顧客特定情報ごとの最後に受け付けた注文情報の時刻の少なくとも一方を起点として経過時間を管理することを特徴とする請求項１から請求項６の何れか１項に記載の経過時間管理装置。
【請求項８】
顧客を特定する顧客特定情報を含む顧客情報を取得する顧客情報取得機能と、
前記顧客特定情報に対応して発生した所定時刻を、前記顧客特定情報ごとに取得する時刻取得機能と、
前記取得した顧客情報および前記取得した所定時刻を記憶する顧客情報記憶機能と、
前記所定時刻を起点とした経過時間を管理する経過時間管理機能と、
前記経過時間が所定の閾値を超えた顧客特定情報を抽出する行動対象抽出機能と、
顧客に対する所定の行動を指定する行動情報を取得する行動情報取得機能と、
前記抽出した顧客特定情報と前記取得した行動情報を出力する出力機能と、
をコンピュータに実現させるための経過時間管理プログラム。
【発明の詳細な説明】
【技術分野】
【０００１】
本発明は、レストランや居酒屋などの店舗で使用される経過時間管理装置、および経過時間管理プログラムに関する。
【背景技術】
【０００２】
レストランや居酒屋などの店舗において、追加注文を注文入力装置に入力する契機は、客側が何らかの方法（例えば、卓上に設置された呼出ボタンを利用する方法や、直接声をかける方法など）で従業員を呼び、従業員が注文入力装置を持って呼ばれたテーブル・座席に赴くという順番で行われている。
売上単価を重視する店舗では、滞在時間が長い客に対しては追加注文をとらなければ売り上げ目標に達しない可能性がある。そのため、従業員側から能動的に追加注文をとりにいく適切なタイミングが曖昧である状態は、大きな売り上げロスに繋がってしまう可能性があった。このように、呼び出し契機が客側に偏っている状態は、店舗として、適切なタイミングで適切な追加注文をとる契機（販売機会）を損失してしまう可能性がある。
一方、サービスを重視する店舗では、おしぼりの追加や水のつぎ足し、飲み放題のコーヒーのお伺いなどの適切なサービスを、各々の客に対して適切なタイミングで行いたいという要求があった。
【０００３】
例えば、特許文献１では、客が飲食時間以上居座ることを減少させることを目的とし、配達完了の時間から一定時間を経過するとその旨を報知する技術が記載されている。
しかしながら、特許文献の技術では報知するだけなので、従業員は、一定時間を超過している席に対する具体的な行動は把握できなかった。
【先行技術文献】
【特許文献】
【０００４】
【特許文献１】特開２０１０−２６７２９９号公報
【発明の概要】
【発明が解決しようとする課題】
【０００５】
本発明は、従業員が適切な契機で適切な行動をとるための行動情報を提供することを目的とする。
【課題を解決するための手段】
【０００６】
そこで本願発明では、上記目的を達成するために、請求項１に記載の発明では、顧客を特定する顧客特定情報を含む顧客情報を取得する顧客情報取得手段と、前記顧客特定情報に対応して発生した所定時刻を、前記顧客特定情報ごとに取得する時刻取得手段と、前記取得した顧客情報および前記取得した所定時刻を記憶する顧客情報記憶手段と、前記所定時刻を起点とした経過時間を管理する経過時間管理手段と、前記経過時間が所定の閾値を超えた顧客特定情報を抽出する行動対象抽出手段と、顧客に対する所定の行動を指定する行動情報を取得する行動情報取得手段と、前記抽出した顧客特定情報と前記取得した行動情報を出力する出力手段と、を備えることを特徴とする経過時間管理装置を提供する。
請求項２に記載の発明では、前記行動情報取得手段は、前記抽出した顧客特定情報が特定する顧客に推奨すべき推奨品を行動情報として取得することを特徴とする請求項１に記載の経過時間管理装置を提供する。
請求項３に記載の発明では、前記抽出した顧客特定情報が特定する顧客への行動の停止を指示する行動停止情報を取得する行動停止情報取得手段を更に備え、前記出力手段は、前記顧客特定情報と前記行動情報に加えて、前記取得した行動停止情報を出力することを特徴とする請求項１または請求項２に記載の経過時間管理装置を提供する。
請求項４記載の発明では、前記行動情報取得手段は、複数の行動情報を設定することを特徴とする請求項１から請求項３のいずれか１項に記載の経過時間管理装置を提供する。
請求項５に記載の発明では、前記所定の閾値は、複数であることを特徴とする請求項１から請求項４のいずれか１項に記載の経過時間管理装置を提供する。
請求項６に記載の発明では、前記時刻取得手段は、前記発生する所定時刻として前記顧客特定情報ごとに複数の所定時刻を取得することを特徴とする請求項１から請求項５のいずれか１項に記載の経過時間管理装置を提供する。
請求項７に記載の発明では、前記顧客情報は注文情報を含み、前記時刻取得手段は、前記注文情報を受け付けた時刻を前記所定時刻として取得し、前記経過時間管理手段は、前記時刻取得手段が取得した、前記顧客特定情報ごとの最初に受け付けた注文情報の時刻、前記顧客特定情報ごとの最後に受け付けた注文情報の時刻の少なくとも一方を起点として経過時間を管理することを特徴とする請求項１から請求項６の何れか１項に記載の経過時間管理装置を提供する。
請求項８に記載の発明では、顧客を特定する顧客特定情報を含む顧客情報を取得する顧客情報取得機能と、前記顧客特定情報に対応して発生した所定時刻を、前記顧客特定情報ごとに取得する時刻取得機能と、前記取得した顧客情報および前記取得した所定時刻を記憶する顧客情報記憶機能と、前記所定時刻を起点とした経過時間を管理する経過時間管理機能と、前記経過時間が所定の閾値を超えた顧客特定情報を抽出する行動対象抽出機能と、顧客に対する所定の行動を指定する行動情報を取得する行動情報取得機能と、前記抽出した顧客特定情報と前記取得した行動情報を出力する出力機能と、をコンピュータに実現させるための経過時間管理プログラムを提供する。
【発明の効果】
【０００７】
本発明によれば、行動情報が提供されるので、従業員が客に対して適切な契機で適切な行動をとることができる。
【図面の簡単な説明】
【０００８】
【図１】経過時間管理装置を説明するための概略構成図である。
【図２】注文管理装置の構成を説明するための概略図である。
【図３】注文情報テーブルを説明するための概念図である。
【図４】時間情報テーブルを説明するための概念図である。
【図５】おすすめテーブルを説明するための概念図である。
【図６】条件テーブルを説明するための概念図である。
【図７】行動情報管理端末の構成を説明するための概略図である。
【図８】行動情報管理端末のメイン画面の一例を説明するための図である。
【図９】情報表示エリアの詳細について説明するための図である。
【図１０】機能ボタンエリアの詳細について説明するための図である。
【図１１】表示画面の切り替えについて説明するための図である。
【図１２】明細参照画面の一例について説明するための図である。
【図１３】席情報ボタンに接触した際に表示される画面の一例を説明するための図である。
【図１４】案内保留ボタン、案内中止ボタンに接触した際に表示される画面の一例を説明するための図である。
【図１５】経過時間管理処理の動作を説明するためのフローチャートである。
【図１６】変形例の注文情報テーブルを説明するための概念図である。
【図１７】変形例の時間情報テーブルを説明するための概念図である。
【発明を実施するための形態】
【０００９】
以下、本発明における好適な実施の形態について、図１から図１５を参照して詳細に説明する。
（１）実施形態の概要
レストランや居酒屋などの店舗において、席番号（来店客のグループ単位、来店客のグループを特定することができる顧客特定情報としての席番号）の経過時間を種々の起点から計測して、あらかじめ定めておいた所定の条件を満たす席（来店客）を抽出して出力する。また、確認した従業員が次にとるべき行動の指針になる情報を同時に出力する。
なお、種々の起点とは、例えば以下のような設定がある。
（ｉ）最初の注文（初オーダ）。この場合、初オーダからの経過時間を「滞留時間」として管理する。
（ｉｉ）最後の注文（最新オーダ）。この場合、最新オーダからの経過時間を「滞留時間」として管理する。
また、行動の指針とは、例えば以下のような設定がある。
（ｉ）おすすめの（つまり、推奨する）料理を案内する。
（ｉｉ）おすすめの（推奨する）飲料を案内する。
（ｉｉｉ）おしぼりを配膳する。
（ｉｖ）水のお代わりを配膳する。
以後、推奨する商品については、「おすすめの○○」で表現を統一して説明する。
【００１０】
（２）実施形態の詳細
図１は、経過時間管理装置１を説明するための概略構成図である。
経過時間管理装置１は、注文管理装置２、行動情報管理端末３、注文入力装置４、ＰＯＳ装置５、アクセスポイント６などがネットワーク７で通信可能に接続されて構成されている。
注文管理装置２は、レストランや居酒屋などの店舗に設置される管理サーバである。本実施形態では、レストランや居酒屋などに来店した客の、注文情報（注文内容、注文時刻）や、客情報（合計人数、客層、男女比、受付時間、合計金額、客単価）といった様々な情報を、席単位（客のグループ単位）で席情報として管理する。本実施形態では席単位で管理する構成にしたが、例えば注文伝票単位で管理する構成にしてもよい。また、注文管理装置２は、前述した起点に係る情報や行動の指針に係る情報を記憶し管理している（詳細は後述する）。
行動情報管理端末３は、レストランや居酒屋などで従業員が閲覧することができる場所（バックヤードや厨房、レジ周辺）に設置される端末であり、例えば、ノートパソコンやタブレットなどで構成される。本実施形態では、注文管理装置２が管理する時間情報や行動（指針）情報などの各種情報が、注文管理装置２から有線あるいは無線で接続された行動情報管理端末３に対して出力され、行動情報管理端末３で従業員に閲覧可能に表示される。
注文入力装置４は、店舗に来店した客の注文を受け付け、受け付けた注文情報を無線通信などを介して注文管理装置２へ送信する装置である。本実施形態では、従業員が持ち運び可能な携帯型（ハンドヘルド型）としたが、この構成に限らず、客席ごとに、客席あるいは客席付近の壁に固定設置された画面を通して客が自ら操作することで注文情報が入力される固定型の構成にしてもよい。
ＰＯＳ装置５は、販売時点情報管理（Ｐｏｉｎｔ  ｏｆ  ｓａｌｅ  ｓｙｓｔｅｍ）装置であり、レストランや居酒屋などの売上実績を単品単位で集計する。
アクセスポイント６は、無線ＬＡＮクライアント（無線端末）である行動情報管理端末３ａを、注文管理装置２や注文入力装置４と相互接続させるための基地局である。本実施形態では、当該アクセスポイント６を利用する無線接続の行動情報管理端末３ａと、有線ＬＡＮでネットワークを構築する行動情報管理端末３ｂを、以後は行動情報管理端末３として説明する。
上述した装置・端末がネットワーク７を介して接続可能に設置されている。
【００１１】
なお、本実施形態の経過時間管理装置１は、一例として、１台の注文管理装置２と２台の行動情報管理端末３を含むシステムとして説明するが、この構成に限られることはない。例えば、注文管理装置２が複数台設置される構成でもよいし、行動情報管理端末３が１台、あるいは３台以上の複数台設置される構成にしてもよい。
【００１２】
（Ｉ）注文管理装置２
図２は、注文管理装置２の構成を説明するための概略図である。
注文管理装置２は、ＣＰＵ（Ｃｅｎｔｒａｌ  Ｐｒｏｃｅｓｓｉｎｇ  Ｕｎｉｔ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、通信部２３、記憶装置２５、およびバス２６などにより構成される。
ＣＰＵ２０は注文管理装置２の中央処理装置であり、ＲＯＭ２１や記憶装置２５に予め書き込まれたプログラムによって、ＲＡＭ２２上で様々な数値計算や情報処理、機器制御などを行う。
本実施形態では、注文管理装置２は、注文入力装置４から送信されてきた情報をもとに様々な管理テーブル（後述する注文情報テーブル２５１や時間情報テーブル２５２など）を作成し、記憶装置２５に記憶する。
注文管理装置２は、各席（来店客）の１回目（最初）の注文を行った時刻（あるいは入店時刻）や最後の注文を行った時刻、あるいは最後にその席に案内を行った時刻などをもとに、席ごとの滞在時間や滞留時間を演算する。
また、記憶した管理テーブルの中から、予め設定されている、あるいは設定を受け付けた「所定の条件」を満たす情報を抽出し、出力手段として機能する通信部２３を介して行動情報管理端末３に情報を出力する。なお、「所定の条件」については後述する。
【００１３】
記憶装置２５は、注文入力装置４から受信した各種情報やＣＰＵ２０の演算結果を記憶する記憶装置である。本実施形態では、顧客管理情報２５０として、注文情報テーブル２５１、時間情報テーブル２５２、おすすめテーブル２５４、条件テーブル２５５、そして経過時間管理プログラム２５６が記憶されている。
なお、本実施形態では、記憶装置２５が注文管理装置２内部に配設される構成にしたが、これに限らず、外部に記憶しておく構成にしてもよい。その場合は、通信部２３は、外部と情報のやりとりを行う各種の情報取得手段（席情報取得手段や時刻取得手段など）として機能する。
上述した各構成は、注文管理装置２内で各々のデータを交換するために、共通の経路であるバス２６で接続されている。
【００１４】
図３から図６は、記憶装置２５が有する顧客管理情報２５０を説明するための概念図である。
図３は、注文情報テーブル２５１を説明するための概念図である。
注文情報テーブル２５１は、顧客管理のためのテーブルである。
本実施形態では、席番号（席Ｎｏ．）ごとに、伝票番号、合計人数、客層、注文時刻、合計金額、そして客単価が管理される。これらの項目のうち席番号、合計人数、客層、そして注文時刻に記憶される情報は、従業員が注文入力装置４（図１）を操作して入力した情報であり、注文入力装置４から送信されてきた情報を注文管理装置２が受信して注文情報テーブル２５１に記憶する。伝票番号は注文管理装置２で採番され記憶される。合計金額と客単価は、そのように記憶した席番号、伝票番号、合計人数、客層、そして注文時刻の情報から注文管理装置２によって算出されて記憶される。
また、伝票番号に付随する伝票情報の注文内容の詳細も、この注文情報テーブル２５１に記憶されて管理される。たとえば、席番号００１には、幹の伝票番号として０００５が採番され、その幹の伝票番号０００５に対して、枝の伝票番号０１（生ビールが４つと枝豆が１つ）や枝の伝票番号０２（刺身の盛り合わせ）などが採番されて記憶されていく。幹の伝票番号は席番号とは独立した番号である。一方、枝の伝票番号は席の注文の度に１ずつ増えた数字が採番される。
なお、本実施形態では、席番号（席Ｎｏ．）ごとに管理する構成にしたが、これに限らず席単位の対応関係がとれる形式であれば他の形式で保存・記憶する構成にしてもよい。
図３に示した例では、席Ｎｏ．００１に着席している客の注文情報は、伝票番号（幹）０００５、伝票番号（枝）０１〜０５に該当し、合計人数は４名、男性と女性の客層、受付時刻（本実施形態では、最初の注文時刻）は１８：３０、記憶された時点での合計金額が６，２００円であり、客単価が１，５５０円であることが計算され記憶されている。
ここで、本実施形態では、受付時刻を最初の注文時刻としたが、これに限られることはない。例えば、客が入店した時刻を受付時刻としてもよい。その場合は、客を席へ案内した時刻情報を注文入力装置４から注文管理装置２へ送信するよう構成すればよい。
なお、本実施形態では、注文管理装置２は、合計人数の変動（途中参加・途中退場）は、注文入力装置４から注文を受け付けるごとに更新する。
【００１５】
図４は、時間情報テーブル２５２を説明するための概念図である。
注文管理装置２は、注文情報テーブル２５１に記憶した情報を使って時間情報テーブル２５２を作成・管理・記憶する。この時間情報テーブル２５２は、行動対象となる席を抽出するためのテーブルである。
「席Ｎｏ．（席番号）」は、来店客が着席した席に割り振られた番号である。席や個室に割り当てられた数字やローマ字、あるいは固有名詞がこれに該当する。来店客の人数に応じて複数の席や個室を利用する場合は、本実施形態では、複数を代表する１つの数値（番号）を記憶する構成にしている。
「最初の注文時刻」は、客が入店して最初に注文を行った第１回目の注文時刻であり、後述する滞在時間を演算する際に利用される。ここには、注文情報テーブル２５１における各席の最古の注文時刻が反映される。なお、本実施形態のように初回注文時刻と入店時刻とを分けて記憶してもよいし、初回注文時刻を入店時刻とみなして記憶する項目を１つに集約する構成にしてもよい。
「最後の注文時刻」は、客が行った直近の注文時刻であり、後述する滞留時間を演算する際に利用される。ここには、注文情報テーブル２５１における各席の最新の注文時刻が反映される。
「経過時間」は、本実施形態では、演算する起点によって「滞在時間」「滞留時間」の２種類を設ける構成にしている。「滞在時間」は、客の最初（最古）の注文時刻から現時刻までの総経過時間である。「滞留時間」は、客の最後（直近）の注文時刻から現時刻までの総経過時間である。
【００１６】
「抽出回数」は、行動対象席として抽出された回数が反映される欄であり、回数が数値で記憶される。図４の例では、席番号００１は１回、席番号００２は３回、席番号００３は０回（１度も抽出されていない）、そして席番号００４は２回、抽出されたことが分かる。
「行動フラグ」は、席に対する行動を管理するフラグであって「行動対象」、「済」、「中止」、そして「保留」を表すフラグがあり、直近の抽出に対する行動について「０」または「１」で管理している。
「行動対象フラグ」のうち、「行動対象」は、行動対象として抽出対象になっている状態（抽出された状態）を示すためのフラグである。「０」は抽出対象ではない状態を示し、「１」は抽出対象である状態を示す。図４の例では、席番号００１、００２、００４が行動対象席として抽出されたことがわかる。注文管理装置２は、このフラグ「１」が付いた席番号に関する情報を行動対象席リストとして作成して行動情報管理端末３へ送信する。
「行動対象フラグ」のうち、「済」の欄はラウンド（従業員による案内）を済ませたか否かのフラグ（済フラグ）を、「中止」の欄は案内中止の状態か否かのフラグ（中止フラグ）を、そして、「保留」の欄は案内保留の状態か否かのフラグ（保留フラグ）を、各々席番号（席Ｎｏ．）ごとに管理する。「０」は各項目に該当しない状態を示し、「１」は各項目に該当する状態を示す。
これらのフラグは、行動情報管理端末３から送られてくる情報と連動しており、行動情報管理端末３との通信で随時更新される。すなわち、従業員が行動情報管理端末３において該当する画面を操作して入力した情報であって、行動情報管理端末３から送信されてきた情報を注文管理装置２が受信し、時間情報テーブル２５２を更新して記憶する。なお、「（案内）済」「（案内）中止」「（案内）保留」の各フラグが切り替わるタイミングについては後述する。
図４の例では、以下（イ）〜（二）の状態を示している。
（イ）席番号００１の席は、案内するよう指示がなされている（行動対象フラグ「１」）ものの、従業員による案内はまだ行われていない（済フラグ「０」）状態である。
（ロ）席番号００２の席は、案内するよう指示がなされ（行動対象フラグ「１」）、従業員による案内が行われた（済フラグ「１」）結果、その席への以後の案内は中止するよう判断がなされた（中止フラグ「１」）状態である。
（ハ）席番号００３の席は、行動対象席として抽出されていない（行動対象フラグ「０」）状態である。
（二）席番号００４の席は、案内するよう指示がなされ（行動対象フラグ「１」）、従業員による案内が行われた（済フラグ「１」）結果、その席への以後の案内を保留するよう判断がなされた（保留フラグ「１」）状態である。
【００１７】
図５は、おすすめテーブル２５４を説明するための概念図である。
おすすめテーブル２５４は、滞留時間ごとに設定された「おすすめ」の項目であり、従業員が、滞留している席へラウンドする際に、客（滞留している席の顧客）に案内する（推奨する）サービスを具体的に示した行動指示内容である。すなわち、行動対象席リストに抽出された席に対する具体的な行動指針としての、追加注文候補としてラウンドの際に客に提案するおすすめの商品が設定されている。
図５の例では、店長などが行動情報管理端末３を操作して設定した、おすすめ番号１としての「さわらの塩焼き」、おすすめ番号２としての「チンジャオロース」、おすすめ番号３としての「栗ごはん」、おすすめ番号４としての「おしぼり」、そして、おすすめ番号５としての「水」を、注文管理装置２が取得しておすすめテーブル２５４に記憶する。
本実施形態では、抽出回数（図４）とおすすめ番号を対応させて、つまり、抽出回数に応じておすすめの商品（おすすめ名）が変更されるように、おすすめテーブル２５４が設定されている。このおすすめテーブル２５４に設定（登録）された情報は、後述する行動対象席リストとして抽出された席番号とともに、行動情報管理端末３へ送信され表示される。
【００１８】
なお、おすすめテーブル２５４は、図５に図示した様態以外にも様々に設定しておくことができる。例えば、客層別におすすめ番号１〜おすすめ３を設定する構成であれば、女性のみの席には滞留時間ごとのおすすめとして、おすすめ１をパンケーキ、おすすめ２をフルーツパフェ、おすすめ３をアイスクリーム、にする構成にしてもよい。その場合は、客層に係わる情報を注文情報テーブル２５１（図３）から取得して参照する。
【００１９】
図６は、条件テーブル２５５を説明するための概念図である。
条件テーブル２５５は、前述した「所定の条件」に係る設定である。このテーブルには、従業員がどのようなタイミングでラウンドをするか、すなわち、どのくらいの滞留時間を「一定の滞留時間が経過した」と見なして従業員が客席へ追加注文のお伺いを立てにいくか、を事前に設定・記憶する。
閾値を算出するための起点時刻（起点条件）としては、最初の注文時刻や、最後の注文時刻、あるいは最終ラウンドを行った時刻がある。その他にも、配膳を終えた時刻や、入店した時刻を起点条件として設定することもできる。
注文管理装置２は、店長などが行動情報管理端末３を操作して設定した数値を閾値として条件テーブル２５５に記憶する。そして、経過時間（図４）がこの閾値を超えた席を、行動対象席として抽出する。行動情報管理端末３を介さずに、注文管理装置２上で設定する構成にしてもよい。その場合は、注文管理装置２に、更に、入力を受け付ける入力部（キーボードやタッチパネル、音声入力のためのマイクなど）を設ける構成にすればよい。
【００２０】
図６に示したように、本実施形態では、行動席対象リストに抽出する条件の起点条件として「滞留時間」が、そして、閾値として「６０」分が設定されている。つまり、注文管理装置２は、時間情報テーブル２５２で監視する滞留時間が６０分を経過した（すなわち、最後の注文から６０分間、何も注文がされていない）席の「行動対象」（図４）の欄を「０」から「１」としフラグを立てる。
「１」のフラグが立った席番号は、おすすめテーブル２５４（図５）に設定された、抽出回数と合致するおすすめ番号のおすすめ情報（おすすめ名）とともに、行動席対象リストとして行動情報管理端末３へ送信される。
本実施形態では、一例として、行動席対象リストには、行動対象席の席番号と、その席への行動指針となるおすすめ情報（おすすめ名）とが含まれる構成にしたが、これに限られることはない。例えば、最初の注文時刻や、最後の注文時刻、滞在時間、あるいは滞留時間が含まれる構成にしてもよい。
【００２１】
（ＩＩ）行動情報管理端末３
図７は、行動情報管理端末３の構成を説明するための概略図である。
行動情報管理端末３は、ＣＰＵ３３０、ＲＯＭ３３１、ＲＡＭ３３２、通信部３３３、表示部３３４、記憶部３３５、入力部３３６、そしてバス３３７などで構成される。
ＣＰＵ３３０は行動情報管理端末３の中央処理装置であり、ＲＯＭ３３１や記憶部３３５に予め書き込まれた行動情報管理プログラム３３５ｂによって、ＲＡＭ３３２上で様々な数値計算や情報処理、機器制御などを行う。本実施形態では、キーボードやタッチパネル、あるいは音声入力のためのマイクなどで構成された入力部３３６で外部（従業員や店長）から受け付けた入力情報をもとにおすすめテーブル２５４や条件テーブル２５５を作成し、記憶部３３５に記憶する。
通信部３３３は、図１に示した注文管理装置２やアクセスポイント６、あるいは注文入力装置４と通信をするための構成である。無線通信と有線通信のどちらで通信を行う構成にするかは適宜設計可能である。
表示部３３４は、通信部３３３を介して注文管理装置２から送信され、記憶部３３５に記憶した行動対象席リスト３３５ａを出力する。
上述した各構成は、行動情報管理端末３内で各々のデータを交換するための共通の経路であるバス３３７で接続されている。
【００２２】
図８は、行動情報管理端末３のメイン画面の一例を説明するための図である。
行動情報管理端末３のメイン画面には、大きく分けて以下の３つのエリアがある。
情報表示エリア３００は、注文管理装置２（図１）から取得した情報（行動対象席リスト）を表示するエリアである。
機能ボタンエリア３０は、表示画面を切り替えるための各種ボタンが表示されたエリアである。
本実施形態では、情報表示エリア３００内に表示される席同士での昇順については、経過時間（経過時間（滞留時間、滞在時間、または最新ラウンドからの経過時間のいずれか、あるいは複数の組み合わせ））の数値が大きい席を情報表示エリア３００内の最上部に表示させ、以後、経過時刻昇順に表示を変更する。
【００２３】
図９は、情報表示エリア３００の詳細について説明するための図である。
本実施形態では、情報表示エリア３００内に、席情報ボタン３１０、案内中止ボタン３０３、案内保留ボタン３０４、そして明細参照ボタン３０７などが配設される。
席情報ボタン３１０は、注文管理装置２から取得し行動対象席リスト３３５ａに記憶した行動対象席リストが提示されるボタンである。すなわち、席情報ボタン３１０をみれば、従業員は、ラウンドなどのアクションが必要な席番号や、その席に推奨すべきおすすめのサービスが分かる。
【００２４】
席情報ボタン３１０は、ボタンの色によって、その席が「これから案内が必要な」案内指示をする席（案内指示席表示３０１）か、「既に案内を行った」案内指示済みの席（案内指示済み席３０２）か、が分かるように構成される。
詳細は後述するが、この席情報ボタン３１０を指などで接触（タッチ、タップ）することで席情報ボタン３１０の色を変更することができ、追加注文の案内やおしぼり等のサービス目的のラウンドを行う前と行った後とを識別・判別することができる。
本実施形態では、これから案内が必要な通常席である座席番号００１に対応する席情報ボタン３１０が、案内指示席表示３０１のようにボタン全体が明るく表示される。
一方、案内保留席（席番号００４）や、案内中止席（席番号００２）に対応する席情報ボタン３１０は、案内指示済み席表示３０２のようにボタン全体が暗く表示される。
【００２５】
案内中止ボタン３０３は、既に案内を行ったが客に「もう来ないで」など案内を断られた場合に、席情報ボタン３１０を、「案内指示を行わない席である」を示す案内指示済み席表示３０２の状態に表示を変更させる場合に押下するボタンである。例えば、案内中止ボタン３０３を押下後に席情報ボタン３１０の明暗を変える。再度案内中止ボタン３０３を押下することで、案内指示席表示３０１の状態に戻る構成にしている。
【００２６】
案内保留ボタン３０４は、既に案内を行ったが客に「ちょっと待って」など保留状態にされた場合に、席情報ボタン３１０を、「案内指示を保留する席である」を示す案内指示済み席表示３０２の状態に表示を変更させる場合に押下するボタンである。例えば、案内保留ボタン３０４を押下後に席情報ボタン３１０の明暗を変える。再度案内保留ボタン３０４を押下することで、案内指示席表示３０１の状態に戻る構成にしている。
【００２７】
明細参照ボタン３０７は、同列に並んだ席番号に該当する席の明細情報（注文情報や客情報など）を確認する場合に押下するボタンである。明細参照ボタン３０７を押下すると、席の明細情報を表示する画面（図１２）へ移行する。
また、本実施形態では、行動情報管理端末３の表示部３３４内に現時刻（２２：００）が表示される構成にしている。この現時刻は、注文管理装置２および注文入力装置４と同期されている。
【００２８】
席番号ボタン３１１は、その席情報ボタン３１０がどの席の情報を報知するためのボタンであるかを示している。この情報は行動対象席リストに基づき表示される。
抽出情報表示エリア３１２は、おすすめの商品を表示する表示エリアである。この情報は行動対象席リストに基づき表示される。
表示回数カウンター３１３は、該当する席の席情報ボタン３１０の画面表示回数を表示するエリアである。この情報は行動対象席リストに基づき表示される。表示回数カウンター３１３は、該当する席が、それまでに何回、行動対象席として、注文管理装置２によって抽出されたか（すなわち、過去何回、行動情報管理端末３の表示部３３４上に表示されたか）を示す回数を表すエリアである。なお、表示回数カウンター３１３は、例えば、これまでの案内（ラウンド）回数をカウントして表示するような構成にしてもよい。
【００２９】
図１０は、機能ボタンエリア３０の詳細について説明するための図である。
図１１は、表示画面の切り替えについて説明するための図である。
ラウンド可能ボタン３１は、情報表示エリア３００に表示されている席情報ボタン３１０のうち、従業員による案内（ラウンド）が可能な席に係る席情報ボタン３１０のみを表示させる場合に押下を受け付けるボタンである。
つまり、行動情報管理端末３は、ラウンド可能ボタン３１の押下を受け付けた場合は、その時点で案内が可能な席（すなわち、案内中止ボタン３０３や案内保留ボタン３０４の押下が受け付けられ、案内指示済み席表示３０２の状態になっている席以外の席）についてのみ、席情報ボタン３１０を表示する。
より具体的には、図１１（ａ）に示したように、行動情報管理端末３は、ラウンド可能ボタン３１の押下を受け付けると、案内が可能な席の席情報ボタン３１０だけを情報表示エリア３００に表示する。なお、再度ラウンド可能ボタン３１を押下することで、図８（あるいは図９）の状態が表示される。
【００３０】
ラウンド不要ボタン３２は、情報表示エリア３００に表示されている席情報ボタン３１０のうち、従業員による案内が不要な席に対応する席情報ボタン３１０のみを表示させる場合に押下を受け付けるボタンである。
つまり、行動情報管理端末３は、ラウンド不要ボタン３２の押下を受け付けた場合は、その時点で案内が不可能な席（すなわち、案内中止ボタン３０３や案内保留ボタン３０４の押下が受け付けられ、案内指示済み席表示３０２の状態になっている席）についてのみ、席情報ボタン３１０を表示する。
より具体的には、図１１（ｂ）に示したように、行動情報管理端末３は、ラウンド不要ボタン３２の押下を受け付けると、その時点で案内が不可能な席（すなわち、案内を保留している席、および案内を中止している席）の席情報ボタン３１０だけを情報表示エリア３００に表示する。再度ラウンド不要ボタン３２を押下することで、図８（あるいは図９）の状態が表示される。
【００３１】
設定ボタン３３は、各種設定を行う設定画面に移行させる場合に押下を受け付けるボタンである。行動情報管理端末３は、設定ボタン３３の押下を受け付けると情報表示エリア３００に表示される設定画面（不図示）にて、各種設定値の登録（例えば、店長によるおすすめ情報の入力や、閾値の設定）を受け付ける。
そして、その設定値は、更新ボタン３４の押下を受け付けるなどした際に、注文管理装置２との通信によって注文管理装置２へ更新情報として送信され、顧客管理情報２５０（図２）の該当テーブル（条件テーブル２５５など）に反映（記憶）される。
【００３２】
更新ボタン３４は、表示部３３４の表示を更新する処理にて押下を受け付けるボタンである。行動情報管理端末３は、更新ボタン３４の押下を受け付けることで、表示部３３４に表示する情報を一新（更新）させるが、予め、一定間隔を経て自動更新する構成にすることも可能である。その場合は、設定ボタン３３を押下して遷移する設定画面から当該設定を行えるように構成するとよい。
【００３３】
（ＩＩＩ）行動情報管理端末３の画面遷移
次に、行動情報管理端末３の画面例について説明する。
図１２は、明細参照画面の一例について説明するための図である。
明細参照ボタン３０７を押下すると、該当する席の詳細情報が表示される。従業員は、当該画面を確認することで、顧客のこれまでの注文履歴などを確認することができる。
【００３４】
（ＩＩＩ−１  ラウンド中であることを報知する画面例）
図１３は、席情報ボタン３１０に接触（タッチ、タップ）、あるいは席情報ボタン３１０を押下した際に変更される画面遷移の一例を説明するための図である。
本実施形態では、これから従業員によるラウンド（案内）が必要であることを示す状態（以後、この状態を「通常表示」とする）の席であることを示す席情報ボタン３１０が、従業員の指４００などによって押下された際（図１３（ａ））、行動情報管理端末３は、席情報ボタン３１０の表示色（本実施形態では、席情報ボタン３１０の枠）を変更する（図１３（ｂ））。この状態を状態Ａとする。本実施形態では、状態Ａを表示中であっても、後述する案内中止ボタン３０３や案内保留ボタン３０４の押下は受け付ける構成とするが、押下を受け付けない構成にしてもよい。
この構成により、通常状態で他に表示されている席情報ボタン３１０と、現在従業員がラウンド中である席に該当する席情報ボタン３１０（状態Ａ）とを、行動情報管理端末３側の画面（情報表示エリア３００）で確認した他の従業員は、視覚的に判別することができる。
【００３５】
（ＩＩＩ−２  ラウンドが保留状態であることを報知する画面例）
図１４（ａ）は、案内保留ボタン３０４に接触、あるいは案内保留ボタン３０４を押下した際に表示変更される画面遷移の一例を説明するための図である。
本実施形態では、案内保留ボタン３０４が、従業員の指４００などによって押下された際、行動情報管理端末３は、それまで通常表示だった席情報ボタン３１０（図８）の表示色を薄グレー色へ変更する。この状態を状態Ｂとし、この状態Ｂの案内保留席を示す席情報ボタン３１０を、通常状態を示す他の全ての席情報ボタン３１０の後に表示する。
また、案内保留ボタン３０４を押下できる条件を、例えば「ステータス（現在の状態）が”案内中止”ではない席」などと定めて設定を受け付けておく構成にしてもよい。
また、１回目の押下で青色に、そして２回目の押下で赤色に表示変更する構成にしてもよい。押下回数はラウンド回数と等しいので、この構成であれば、画面を確認した従業員は、ラウンド回数を視覚的に認識することができる。
【００３６】
（案内保留席表示の解除１）
指４００（画面操作者）が案内保留ボタン３０４を再度押下すると、行動情報管理端末３は、案内保留席の表示（状態Ｂ）から通常表示へと表示を変更する。
【００３７】
（案内保留席表示の解除２）
あるいは、案内保留席を示す状態Ｂは、一定時間（設定画面で設定する）をおいて、再度、通常状態に表示を戻すように構成することができる。
【００３８】
（案内保留席表示の無効）
本実施形態の変形例として、閾値が複数設定されていた場合に、設定値の一番最大の数値を超えた席の席情報ボタン３１０に対応する案内保留ボタン３０４を画面操作者（指４００）が押下しても、その押下を無効と判断し、画面表示は変更しないように構成することもできる。例えば、１回目の閾値が６０分、２回目の閾値が９０分、３回目の閾値が１２０分と設定されていた場合、３回目の閾値である１２０分を超えたために行動対象席として抽出された席（少なくとも３回は抽出されている席）は、以後、保留状態にはできないとする。
【００３９】
行動情報管理端末３は、上述した、指４００による接触が行われた席の状態（案内保留および案内保留解除）に関する情報を注文管理装置２へ送信し、顧客管理情報２５０の該当するテーブル情報を上書き処理する。
この構成により、通常の状態で表示されている席情報ボタン３１０と、現在従業員が案内（ラウンド）を行った結果断られて以後の案内行為を保留にすることが決められた席（案内保留席）に対応する席情報ボタン３１０（状態Ｂ）とを、行動情報管理端末３側の画面（情報表示エリア３００）を確認した他の従業員は、視覚的に判別することができる。
【００４０】
（ＩＩＩ−３  ラウンドが中止状態であることを報知する画面例）
図１４（ｂ）は、案内中止ボタン３０３に接触、あるいは案内中止ボタン３０３を押下した際に表示変更される画面遷移の一例を説明するための図である。
前提として、本実施形態では、一例として、以下に記載した２事項のいずれかに該当する席は、従業員による追加オーダを催促する案内（ラウンド）は不要とする。
（例１）食べ放題、飲み放題の席
（例２）追加オーダ案内を行ったが、断られた席
そして、行動情報管理端末３は、従業員が画面（表示部３３４）を見れば、従業員がその旨を判別できるよう、表示部３３４に表示する。
本実施形態では、従業員の指４００などによって案内中止ボタン３０３が押下されると、行動情報管理端末３は、それまで表示部３３４上で通常表示だった席情報ボタン３１０（図８）の表示色を、濃グレー色へ変更する。この状態を状態Ｃとし、この状態Ｃの席情報ボタン３１０は、全ての通常状態を示す他の全ての席情報ボタン３１０の後に表示する。
【００４１】
なお、案内中止ボタン３０３を押下できる条件を、例えば「ステータス（現在の状態）が”案内保留”ではない席」などと予め定めた設定を受け付けておく構成にしてもよい。
行動情報管理端末３は、上述した、指４００による接触が行われた席の状態（案内中止および案内中止解除）に関する情報を注文管理装置２へ送信し、顧客管理情報２５０の該当するテーブル情報を上書き処理する。
この構成により、通常状態で他に表示されて案内が必要な席の席情報ボタン３１０と、以後の案内行為を中止することが決められた席（案内中止席）に対応する席情報ボタン３１０（状態Ｃ）とを、行動情報管理端末３側の表示部３３４を確認した他の従業員は、視覚的に判別することができる。
【００４２】
（ＩＩＩ−４  消し込み）
図示しないが、本実施形態では、行動情報管理端末３は、追加のオーダや会計が入った段階で、当該追加オーダを行った席の席情報ボタン３１０を、表示部３３４から消し込む、すなわち、非表示にする。
この構成により、追加注文を受けた席へ、従業員を誤って案内に行かせてしまうことを防止することができる。
【００４３】
次に、以上のように構成された本実施形態の注文管理装置２および行動情報管理端末３を含む経過時間管理システムの動作について説明する。
図１５は、経過時間管理システムにおける経過時間管理処理の動作を説明するためのフローチャートである。
まず、注文入力装置４は、客が着席した席番号を含む注文情報や客情報などの席情報を、注文入力装置４を操作する従業員の入力により受け付ける（Ｓ１０）。注文入力装置４はこれらの情報を、注文時刻とともに、注文管理装置２へ送信する（Ｓ２０）。
注文管理装置２は、注文入力装置４から送信された時刻情報を含む注文情報および客情報を受信する（Ｓ３０）。そして、注文管理装置２は、送信されてきた情報の席番号が新規か否かを確認する（Ｓ４０）。その確認の結果、席番号が新規だと判断すると（Ｓ４０；Ｙ）、注文管理装置２は、顧客管理情報２５０の各テーブル情報（注文情報テーブル２５１、時間情報テーブル２５２などの顧客管理情報）に新しい項目を設け新規情報として記憶する（Ｓ５０）。一方、席番号が新規ではないと判断すると（Ｓ４０；Ｎ）、注文管理装置２は、既に顧客管理情報２５０に作成してある該当するテーブル情報（注文情報テーブル２５１、時間情報テーブル２５２などの顧客管理情報）の同じ席番号と紐付けて今回受信した情報を記憶する更新処理を行う（Ｓ６０）。
【００４４】
このとき、注文管理装置２は、種々の演算を行って行動対象席を抽出し、行動対象席リストを作成しておく。
【００４５】
行動情報管理端末３は、更新ボタン３４が押下されたか否かを監視している（Ｓ１）。更新ボタン３４が押下されたと判断すると（Ｓ１；Ｙ）、注文管理装置２へ最新情報の問い合わせを行う（Ｓ７０）。なお、この問い合わせを行う間隔を予め設定しておき、自動更新する構成にしてもよい。その場合は、例えば１〜９９９秒の間で任意に問い合わせ処理がなされるよう時間間隔を設定しておく。
あるいは、システム全体か、または行動情報管理端末３の起動時の直後には、注文管理装置２へ最新の情報（注文情報・客情報）を問い合わせる設定にしてもよい。その場合、起動時は自動で（更新ボタン３４の押下に関係なく）最新情報を取得するので、動作がスムーズになる。また、起動後に、即、注文管理装置２との通信を試みる構成になるので、行動情報管理端末３と注文管理装置２の間に通信障害がないかの確認にもなる。
【００４６】
注文管理装置２は、先述したように、客について、入店時刻や最初の注文（初オーダ）の注文時刻、そして最後の注文（最新オーダ）の注文時刻といった種々の時刻を席ごとに時間情報テーブル２５２に記憶している。そして、最初の注文時刻および最後の注文時刻を起点にして、現在時刻までの経過時間（滞留時間、滞在時間）を算出して、その経過時間を記憶している（図４）。
注文管理装置２は、これらの経過時間と条件テーブル２５５（図６）に記憶した設定に基づき、行動情報管理端末３へ最新情報として送信する行動対象席リストとして、所定の時間量を超過している席（すなわち、従業員によるラウンドが必要な席）に係わる諸情報を抽出しておき、さらに、行動対象の席に対してはフラグを付ける。
なお、この抽出は、常に最新情報にしておくために、一定の間隔（例えば１分）で自動抽出されるよう構成される。あるいは、行動情報管理端末３から問い合わせ（Ｓ７０）を受けてから抽出する構成にしてもよい。
【００４７】
行動情報管理端末３から最新情報の問い合わせを受けた注文管理装置２は、記憶装置２５に記憶した各テーブル情報において、最新かつ未会計である行動対象者リストを行動情報管理端末３へ送信する（Ｓ８０）。
【００４８】
行動情報管理端末３は、注文管理装置２が送信した最新の行動対象者リストを受信して受け付け、記憶部３３５の行動対象席リスト３３５ａに記憶する（Ｓ９０）。
そして、受け付けた行動対象者リストをもとに、表示部３３４に、所定時間を経過したためラウンドが必要だとして抽出された席を、図８で示したメイン画面に表示する（Ｓ１００）。
以後、注文入力装置４、注文管理装置２、および行動情報管理端末３は、上述した一連の流れを繰り返す。
【００４９】
（ＩＶ）変形例
以上のように説明した実施形態の他に、例えば以下の構成（変形例）に置き換えたり加えたりしてもよい。
（ＩＶ−１  伝票番号ごとに管理）
上述した、席番号ごとの管理にかえて、伝票番号（来店客のグループ単位、来店客のグループを特定することができる顧客特定情報としての伝票番号）ごとに各情報を取得・管理する構成にしてもよい。
その場合は、図３に対応する注文情報テーブル２５１は図１６示す注文情報テーブル２５１ａの構成で、また図４に対応する時間情報テーブル２５２は図１７に示す時間情報テーブル２５２ａ構成でデータが管理される。
この構成では、図１５（Ｓ４０）では、注文管理装置２は、送信されてきた情報の伝票番号が新規か否かを確認する。その確認の結果、伝票番号が新規だと判断すると、注文管理装置２は、顧客管理情報２５０の注文情報テーブル２５１ａに新しい項目（伝票番号の欄）を設け新規情報として記憶する。そして、注文管理装置２は、来店客が最初に注文を行った時刻や最後の注文を行った時刻などをもとに、伝票番号ごとの滞在時間や滞留時間を演算し、時間情報テーブル２５２ａに記憶する。そして、演算の結果、所定の時間量を超過している伝票番号に対してはフラグを付ける。
なお、行動対象リストとして行動情報管理端末３へ出力（送信）する際には、行動情報管理端末３を確認して該当する伝票番号（行動対象としてリストアップされた伝票番号）に対応する顧客の席へラウンドする従業員が、当該席を認識しやすいように、伝票番号とともに席番号も出力される構成にしてもよい。
【００５０】
（ＩＶ−２  消し込み処理例１）
注文管理装置２がＳ２０にて注文入力装置４から受信した注文情報が、それまで行動対象席リストに抽出されていたいずれかの抽出席の会計に係わる会計（精算）情報である場合、注文管理装置２は、即座にテーブル情報を更新して（Ｓ６０）作成した、当該抽出席が削除された最新の行動対象席リストを行動情報管理端末３へ送信する。すなわち、注文管理装置２は、行動情報管理端末３における更新ボタン３４の押下の有無あるいは自端末の自動更新間隔にかかわらず、会計処理によって行動対象席ではなくなった席が行動対象席リストから削除された最新の行動対象席リストを送信する。
この構成によれば、行動情報管理端末３は、会計を済ませた席に対応する席情報ボタン３１０を、素早く表示部３３４から消し込むので、行動情報管理端末３の画面（表示部３３４）を確認した従業員が誤って会計済みの席へラウンドしてしまうことを防止することができる。
なお、会計情報であっても更新ボタン３４の押下が送信のトリガーになるように構成してもよい。
【００５１】
（ＩＶ−３  消し込み処理例２）
あるいは、席に設置された呼出ブザー（呼び鈴）と経過時間管理装置１とを連動させてもよい。席に設置された呼出ブザーが客によって押下されれば、従業員が当該席へラウンドするため、経過時間の数値が「０」になり、行動対象からは外れるからである。
【００５２】
（ＩＶ−４  閾値）
閾値として許容可能な経過時間は、例えば、０〜９９７分の間で任意に設定することができる。
また、経過時間の閾値は、例えば、滞留時間であれば、滞留時間１、滞留時間２、滞留時間３、と複数設定する構成にすることもできる。すなわち、時間差で（例えば、３段階に分けて）報知・表示することができる。この場合は、滞留時間１は滞留時間２よりも小さい値（１〜９９８分）を閾値として設定する。そして、滞留時間２は、滞留時間１よりも大きく且つ滞留時間３よりも小さい値（２〜９９９分）を閾値として設定する。
また、このように閾値を複数段階に分ける構成にすることで、超過した経過時間ごとに提案するおすすめ（料理、飲み物、サービス）内容を変えてもよい。
【００５３】
（ＩＶ−５  起点条件）
起点条件（起点とする時刻）を、従業員が、該当する席を最後にラウンドした時刻にしてもよい。その場合は、最新ラウンド時刻からの許容可能な経過時間（閾値）を、例えば１〜９９分の間で任意に設定するように設定する。そして、最新ラウンド時刻からの経過時間が設定した閾値を超えた場合に、行動対象席リストに抽出する。
【００５４】
（ＩＶ−６  注文入力装置４との連携）
行動情報管理端末３の抽出情報表示エリア３１２に表示されたおすすめ情報が、席情報ボタン３１０の押下と連動して注文入力装置４に送信される構成にしてもよい。その場合は、該当する席番号とともに当該席へのおすすめ商品が追加注文候補として注文入力装置４に表示される。
【００５５】
以上説明したように本実施形態の経過時間管理装置１（注文管理装置２、行動情報管理端末３）では、経過時間（滞在時間、滞留時間）を軸にして注文が滞っている席が注文管理装置２によって抽出され、従業員への具体的な行動指針（おすすめ情報）とともに行動対象席リストとして行動情報管理端末３に出力される。この行動対象席リストにより、稼働している全ての席ではなく、注文が滞っている席を、当該席に最適な行動指針（推奨すべき推奨品）とともに確認することができる。その結果、当該出力を確認した従業員は注文が滞っている席に対して、適切なタイミングで（適度に間隔を開けて）、追加の注文や追加のサービスを行うといった具体的な行動を行うことができる。
【００５６】
さらに、行動指針の種類を複数設定しておく構成により、注文が滞っている席に対してその各々のタイミングに適切な追加注文や追加のサービスをその都度行動に移すことができる。
【００５７】
さらに、経過時間の種類を複数設定しておく構成により、１つの席に対する抽出回数が複数になる。これにより、当該出力を確認した従業員は、注文が滞っている席に対して適切なタイミングで（適度に間隔を開けて）、適切な追加注文や追加のサービスを行うことができる。
【００５８】
さらに、抽出された席の現状（例えば、従業員によるアクションの有無）に応じて画面の表示を変更する。これにより、当該表示画面を確認した従業員は当該席の現状を把握することができる。その結果、該当する席に対して不適切な行動をとる可能性が低下し、適切なタイミングで（適度に間隔を開けて）、その各々のタイミングに最適な追加注文や追加のサービスをその都度行動に移すことができる。
【符号の説明】
【００５９】
１  経過時間管理装置
２  注文管理装置
３  行動情報管理端末
４  注文入力装置
５  ＰＯＳ装置
６  アクセスポイント
７  ネットワーク
２０  ＣＰＵ
２１  ＲＯＭ
２２  ＲＡＭ
２３  通信部
２５  記憶装置
２６  バス
３０  機能ボタンエリア
３１  ラウンド可能ボタン
３２  ラウンド不要ボタン
３３  設定ボタン
３４  更新ボタン
２５０  顧客管理情報
２５１  注文情報テーブル
２５２  時間情報テーブル
２５１ａ  注文情報テーブル
２５２ａ  時間情報テーブル
２５４  おすすめテーブル
２５５  条件テーブル
２５６  経過時間管理プログラム
３００  情報表示エリア
３０１  案内指示席表示
３０２  案内指示済み席表示（案内保留席、案内中止席）
３０３  案内中止ボタン
３０４  案内保留ボタン
３０７  明細参照ボタン
３１０  席情報ボタン
３１１  席番号ボタン
３１２  抽出情報表示エリア
３１３  表示回数カウンター
３３０  ＣＰＵ
３３１  ＲＯＭ
３３２  ＲＡＭ
３３３  通信部
３３４  表示部
３３５  記憶部
３３５ａ行動対象席リスト
３３５ｂプログラム
３３６  入力部
３３７  バス
４００  指
【図１】
2016110192.tif 000003
【図２】
2016110192.tif 000004
【図３】
2016110192.tif 000005
【図４】
2016110192.tif 000006
【図５】
2016110192.tif 000007
【図６】
2016110192.tif 000008
【図７】
2016110192.tif 000009
【図８】
2016110192.tif 000010
【図９】
2016110192.tif 000011
【図１０】
2016110192.tif 000012
【図１１】
2016110192.tif 000013
【図１２】
2016110192.tif 000014
【図１３】
2016110192.tif 000015
【図１４】
2016110192.tif 000016
【図１５】
2016110192.tif 000017
【図１６】
2016110192.tif 000018
【図１７】
2016110192.tif 000019